(57)【特許請求の範囲】
【請求項１】
第１の周波数情報に基づいて通信を行う第１の無線基地局装置と、第２の周波数情報に基づいて通信を行う第２の無線基地局装置と、前記第１の周波数情報にて通信が行われると正常でない無線信号を送信する第３の無線基地局装置と、通信中の周波数情報にて無線信号を送信する無線基地局装置を優先的に待ち受け対象として選択する無線通信端末とを備えた無線通信システムにおける無線通信端末であって、
前記無線基地局装置のそれぞれについて、周波数情報とグループ情報と当該グループ情報に応じたグループ内での捕捉優先度情報とを記憶するとともに、前記第１の無線基地局装置に対する前記グループ情報には第１のグループを示す情報を記憶し、前記第２及び第３の無線基地局装置に対する前記グループ情報には第２のグループを示す情報を記憶し、前記第２の基地局装置に対する前記捕捉優先度情報が前記第３の無線基地局装置に対する前記捕捉優先度情報よりも高い優先度となるように記憶する記憶手段と、
前記第１の周波数情報での通信にて前記第１の無線基地局装置を待ち受け対象とする状態から前記第３の無線基地局装置を待ち受け対象とする状態へ移行した場合に、前記第３の無線基地局装置から前記正常でない無線信号を受信すると、前記記憶手段にて当該無線信号の送信元の前記第３の無線基地局装置と同じグループ情報の中で前記捕捉優先度情報が高い優先度の無線基地局装置に対して捕捉処理を実行する捕捉処理手段と、
を備えたことを特徴とする無線通信端末。
【請求項２】
前記第２の無線基地局装置に対する前記捕捉優先度情報は、前記グループ情報として前記第２のグループを示す情報が記憶されている前記無線基地局装置の中で最も高い優先度に設定されている
ことを特徴とする請求項１に記載の無線通信端末。
【請求項３】
前記捕捉処理手段は、
前記捕捉処理を行う際に、前記第３の無線基地局装置と同じグループ情報と前記捕捉優先度情報とに基づいて、前記記憶手段から高い優先度の前記周波数情報を読み出す読出手段と、
通信する周波数情報を、前記読出手段が読み出した前記周波数情報に切り替える周波数切替手段と、を備え、
前記周波数切替手段が切り替える前記周波数情報の通信にて無線基地局装置を捕捉する
ことを特徴とする請求項１または２に記載の無線通信端末。
【請求項４】
第１の周波数情報に基づいて通信を行う第１の無線基地局装置と、第２の周波数情報に基づいて通信を行う第２の無線基地局装置と、通信中の周波数情報にて無線信号を送信する無線基地局装置を優先的に待ち受け対象として選択する無線通信端末とを備えた無線通信システムであって、
前記第１の周波数情報にて通信が行われると正常でない無線信号を送信する第３の無線基地局装置を備え、
前記無線通信端末は、
前記無線基地局装置のそれぞれについて、周波数情報とグループ情報と当該グループ情報に応じたグループ内での捕捉優先度情報とを記憶するとともに、前記第１の無線基地局装置に対する前記グループ情報には第１のグループを示す情報を記憶し、前記第２及び第３の無線基地局装置に対する前記グループ情報には第２のグループを示す情報を記憶し、前記第２の基地局装置に対する前記捕捉優先度情報が前記第３の無線基地局装置に対する前記捕捉優先度情報よりも高い優先度となるように記憶する記憶手段と、
前記第１の周波数情報での通信にて前記第１の無線基地局装置を待ち受け対象とする状態から前記第３の無線基地局装置を待ち受け対象とする状態へ移行した場合に、前記第３の無線基地局装置から前記正常でない無線信号を受信すると、前記記憶手段にて当該無線信号の送信元の前記第３の無線基地局装置と同じグループ情報の中で前記捕捉優先度情報が高い優先度の無線基地局装置に対して捕捉処理を実行する捕捉処理手段と、
を備えたことを特徴とする無線通信システム。
【請求項５】
第１の周波数情報に基づいて通信を行う第１の無線基地局装置と、第２の周波数情報に基づいて通信を行う第２の無線基地局装置と、前記第１の周波数情報にて通信が行われると正常でない無線信号を送信する第３の無線基地局装置と、通信中の周波数情報にて無線信号を送信する無線基地局装置を優先的に待ち受け対象として選択する無線通信端末とを備えた無線通信システムにおける無線基地局選択方法であって、
前記無線通信端末が、前記無線基地局装置のそれぞれについて、周波数情報とグループ情報と当該グループ情報に応じたグループ内での捕捉優先度情報とを記憶手段に記憶させるとともに、前記第１の無線基地局装置に対する前記グループ情報には第１のグループを示す情報を記憶させ、前記第２及び第３の無線基地局装置に対する前記グループ情報には第２のグループを示す情報を記憶させ、前記第２の基地局装置に対する前記捕捉優先度情報が前記第３の無線基地局装置に対する前記捕捉優先度情報よりも高い優先度となるように記憶させるステップと、
前記無線通信端末が、前記第１の周波数情報での通信にて前記第１の無線基地局装置を待ち受け対象とする状態から前記第３の無線基地局装置を待ち受け対象とする状態へ移行するステップと、
前記第３の無線基地局装置から前記正常でない無線信号を受信するステップと、
前記無線通信端末が、前記記憶手段にて当該無線信号の送信元の前記第３の無線基地局装置と同じグループ情報の中で前記捕捉優先度情報が高い優先度の無線基地局装置に対して捕捉処理を実行するステップと、
を含むことを特徴とする無線基地局選択方法。
【発明の詳細な説明】
【技術分野】
【０００１】
本発明は、主に無線基地局装置との間で無線通信を行う携帯電話端末等の無線通信端末、無線通信システム及び無線基地局選択方法に関する。
に関する。
【背景技術】
【０００２】
従来の携帯電話等の無線通信端末では、電源がオンされ起動された際に、無線基地局装置に対する捕捉処理を行い、待ち受け処理の対象とする。ところで、図６に示す無線通信システムのように、一般の通信サービスを提供する無線基地局装置ＢＳ−Ａから、当該無線基地局装置ＢＳ−Ａと周波数帯域及びチャネルが異なる特定の無線基地局装置ＢＳ−Ｚへ無線通信端末１０Ｚを遷移させたい場合がある。ここで、特定の無線基地局装置ＢＳ−Ｚとは、例えばビル等の構内で内線電話サービスを提供するための無線基地局装置等である。
【０００３】
無線通信端末１０Ｚは、無線基地局装置を捕捉する際、待ち受け処理中の無線基地局装置と同一の周波数帯域（ＢａｎｄＣｌａｓｓのＩＤ＝６）及びチャネル（ＣｈａｎｎｅｌのＩＤ＝２２５）を他の周波数帯より優先して、他の無線基地局装置からパイロット信号を受信し、無線基地局装置の捕捉を行う。
【０００４】
このため、無線通信端末１０Ｚは、無線基地局装置ＢＳ−Ａと同一の周波数帯域及びチャネルにてパイロット信号を送信する他の無線基地局装置が存在する場合、無線通信端末１０Ｚの近傍に異なる周波数帯域及びチャネルにてパイロット信号を送信する無線基地局装置ＢＳ−Ｚが存在するにも関わらず、他の無線基地局装置を捕捉してしまい、無線基地局装置ＢＳ−Ｚへの遷移を確実に実行させることが難しいことが知られていた。
【０００５】
そこで、図７に示すように確実に無線通信端末を目的の無線通信端末に遷移させるために、遷移元の無線基地局装置ＢＳ−Ａと同一の周波数帯域及びチャネルでパイロット信号を送信するパイロットビーコン（Pilot Beacon）と呼ばれる無線基地局装置を設置する技術が知られている（例えば、特許文献１参照）。当該技術を用いることで、無線基地局装置ＢＳ−Ａから一度パイロットビーコンに遷移させた後に、パイロットビーコンから無線通信端末を強制的にシステムロストさせて、目的の無線基地局装置ＢＳ−Ｚに遷移させる確率を高めることができる。
【特許文献１】特開２００４−２９７４８０号公報
【発明の開示】
【発明が解決しようとする課題】
【０００６】
しかしながら、パイロットビーコンから目的の無線基地局装置ＢＳ−Ｚへ遷移させることができるか否かは従来の無線通信端末１０Ｚによる捕捉処理に依存する部分が多く、確実に遷移させることができるか否かは不明瞭であるという問題があった。
【０００７】
本発明は、上記問題を解決するためになされたもので、その目的は、パイロットビーコンを用いつつ、目的となる無線基地局装置に確実に遷移をさせることが可能な無線通信端末、無線通信システム及び無線基地局選択方法を提供することにある。
【課題を解決するための手段】
【０００８】
上記した課題を解決するために本発明は、第１の周波数情報に基づいて通信を行う第１の無線基地局装置と、第２の周波数情報に基づいて通信を行う第２の無線基地局装置と、前記第１の周波数情報にて通信が行われると正常でない無線信号を送信する第３の無線基地局装置と、通信中の周波数情報にて無線信号を送信する無線基地局装置を優先的に待ち受け対象として選択する無線通信端末とを備えた無線通信システムにおける無線通信端末であって、前記無線基地局装置のそれぞれについて、周波数情報とグループ情報と当該グループ情報に応じたグループ内での捕捉優先度情報とを記憶するとともに、前記第１の無線基地局装置に対する前記グループ情報には第１のグループを示す情報を記憶し、前記第２及び第３の無線基地局装置に対する前記グループ情報には第２のグループを示す情報を記憶し、前記第２の基地局装置に対する前記捕捉優先度情報が前記第３の無線基地局装置に対する前記捕捉優先度情報よりも高い優先度となるように記憶する記憶手段と、前記第１の周波数情報での通信にて前記第１の無線基地局装置を待ち受け対象とする状態から前記第３の無線基地局装置を待ち受け対象とする状態へ移行した場合に、前記第３の無線基地局装置から前記正常でない無線信号を受信すると、前記記憶手段にて当該無線信号の送信元の前記第３の無線基地局装置と同じグループ情報の中で前記捕捉優先度情報が高い優先度の無線基地局装置に対して捕捉処理を実行する捕捉処理手段と、を備えたことを特徴とする無線通信端末である。
【０００９】
本発明は、上記に記載の発明において、前記第２の無線基地局装置に対する前記捕捉優先度情報は、前記グループ情報として前記第２のグループを示す情報が記憶されている前記無線基地局装置の中で最も高い優先度に設定されていることを特徴とする。
【００１０】
本発明は、上記に記載の発明において、前記捕捉処理手段は、前記捕捉処理を行う際に、前記第３の無線基地局装置と同じグループ情報と前記捕捉優先度情報とに基づいて、前記記憶手段から高い優先度の前記周波数情報を読み出す読出手段と、通信する周波数情報を、前記読出手段が読み出した前記周波数情報に切り替える周波数切替手段と、を備え、前記周波数切替手段が切り替える前記周波数情報の通信にて無線基地局装置を捕捉することを特徴とする。
【００１１】
本発明は、上記に記載の発明において、第１の周波数情報に基づいて通信を行う第１の無線基地局装置と、第２の周波数情報に基づいて通信を行う第２の無線基地局装置と、通信中の周波数情報にて無線信号を送信する無線基地局装置を優先的に待ち受け対象として選択する無線通信端末とを備えた無線通信システムであって、前記第１の周波数情報にて通信が行われると正常でない無線信号を送信する第３の無線基地局装置を備え、前記無線通信端末は、前記無線基地局装置のそれぞれについて、周波数情報とグループ情報と当該グループ情報に応じたグループ内での捕捉優先度情報とを記憶するとともに、前記第１の無線基地局装置に対する前記グループ情報には第１のグループを示す情報を記憶し、前記第２及び第３の無線基地局装置に対する前記グループ情報には第２のグループを示す情報を記憶し、前記第２の基地局装置に対する前記捕捉優先度情報が前記第３の無線基地局装置に対する前記捕捉優先度情報よりも高い優先度となるように記憶する記憶手段と、前記第１の周波数情報での通信にて前記第１の無線基地局装置を待ち受け対象とする状態から前記第３の無線基地局装置を待ち受け対象とする状態へ移行した場合に、前記第３の無線基地局装置から前記正常でない無線信号を受信すると、前記記憶手段にて当該無線信号の送信元の前記第３の無線基地局装置と同じグループ情報の中で前記捕捉優先度情報が高い優先度の無線基地局装置に対して捕捉処理を実行する捕捉処理手段と、を備えたことを特徴とする無線通信システムである。
【００１２】
本発明は、上記に記載の発明において、第１の周波数情報に基づいて通信を行う第１の無線基地局装置と、第２の周波数情報に基づいて通信を行う第２の無線基地局装置と、前記第１の周波数情報にて通信が行われると正常でない無線信号を送信する第３の無線基地局装置と、通信中の周波数情報にて無線信号を送信する無線基地局装置を優先的に待ち受け対象として選択する無線通信端末とを備えた無線通信システムにおける無線基地局選択方法であって、前記無線通信端末が、前記無線基地局装置のそれぞれについて、周波数情報とグループ情報と当該グループ情報に応じたグループ内での捕捉優先度情報とを記憶手段に記憶させるとともに、前記第１の無線基地局装置に対する前記グループ情報には第１のグループを示す情報を記憶させ、前記第２及び第３の無線基地局装置に対する前記グループ情報には第２のグループを示す情報を記憶させ、前記第２の基地局装置に対する前記捕捉優先度情報が前記第３の無線基地局装置に対する前記捕捉優先度情報よりも高い優先度となるように記憶させるステップと、前記無線通信端末が、前記第１の周波数情報での通信にて前記第１の無線基地局装置を待ち受け対象とする状態から前記第３の無線基地局装置を待ち受け対象とする状態へ移行するステップと、前記第３の無線基地局装置から前記正常でない無線信号を受信するステップと、前記無線通信端末が、前記記憶手段にて当該無線信号の送信元の前記第３の無線基地局装置と同じグループ情報の中で前記捕捉優先度情報が高い優先度の無線基地局装置に対して捕捉処理を実行するステップと、を含むことを特徴とする無線基地局選択方法である。
【発明の効果】
【００１３】
この発明によれば、無線通信端末は、無線基地局装置のそれぞれについて、周波数情報とグループ情報と当該グループ情報に応じたグループ内での捕捉優先度情報とを記憶するとともに、第１の無線基地局装置に対するグループ情報には第１のグループを示す情報を記憶し、第２及び第３の無線基地局装置に対するグループ情報には第２のグループを示す情報を記憶し、第２の基地局装置に対する捕捉優先度情報が第３の無線基地局装置に対する捕捉優先度情報よりも高い優先度となるように記憶する記憶手段を備えている。そして、
第１の周波数情報での通信にて第１の無線基地局装置を待ち受け対象とする状態から第３の無線基地局装置を待ち受け対象とする状態へ移行した場合に、第３の無線基地局装置から正常でない無線信号を受信すると、記憶手段にて当該無線信号の送信元の第３の無線基地局装置と同じグループ情報の中で捕捉優先度情報が高い優先度の無線基地局装置に対して捕捉処理を実行する構成とした。これにより、第３の無線基地局装置への遷移を経由して、第１の無線基地局装置から、目的となる第２の無線基地局装置に確実に無線通信端末を遷移をさせることが可能となる。
【発明を実施するための最良の形態】
【００１４】
以下、本発明の一実施形態を図面を参照して説明する。
図１は、本実施形態に係る無線通信システム１を示す概略ブロック図である。
無線通信システム１は、無線基地局装置１００Ａと、パイロットビーコン（Pilot Beacon）と呼ばれる無線基地局装置２００と、無線基地局装置１００Ｚと、無線通信端末１０とを備えている。無線通信端末１０は、無線基地局装置１００Ａ、１００Ｚ、２００のいずれか１つの無線基地局装置を捕捉して待ち受け対象とし、待ち受け対象の無線基地局装置との間で無線信号による通信を行う。
【００１５】
無線基地局装置１００Ａは、例えば、公衆携帯電話通信サービスを提供する基地局システムに属する無線基地局装置（以下、同種の通信サービスを提供する装置を「通常の無線基地局装置」と記載）である。図１の例では、無線基地局装置１００Ａには、ＢａｎｄＣｌａｓｓ（周波数帯、以下、ＢＣと記載）のＩＤ（IDentifier）に６、Ｃｈａｎｎｅｌ（チャネル、以下、ＣＨと記載）のＩＤに２５５、ＰＮ符号のＩＤに２０、ＳＩＤ（System ID）に１２３０４、ＮＩＤ（Network ID）に６５５３５が付与されている。
【００１６】
ここで、ＢＣのＩＤとは、無線基地局装置（基地局システム）が無線信号を送出する際に使用する周波数帯を識別できるように予め付与されるＩＤである。また、ＣＨのＩＤとは、ＢＣのＩＤに対応する周波数帯にて、無線基地局装置（基地局システム）が無線信号を送信する際に使用するチャネルを識別できるように予め付与されるＩＤである。ＰＮ符号のＩＤとは、無線基地局装置（基地局システム）がパイロット信号を送信する際に適用される短周期ＰＮ符号を一意に識別できるように予め付与されるＩＤであり、無線基地局装置（基地局システム）ごとに異なる値である。ＳＩＤは、基地局システムを一意に識別できるＩＤである。ＮＩＤは、基地局システムの中で、幾つかのネットワークを論理的に構成する際に、各ネットワークを一意に識別できるように付与されるＩＤである。ここで、基地局システムとは、１つ以上の無線基地局装置によって構成される無線通信システムであり、複数の無線基地局装置により構成される場合には、それぞれの無線基地局装置には同一のＳＩＤが付与されることになる。例えば、図１では、無線基地局装置２００と無線基地局装置１００Ｚは、同一の基地局システムに属している。
【００１７】
次に、無線基地局装置１００Ｚは、無線通信端末１０が無線基地局装置１００Ｚの無線信号の送信範囲に近づいた場合に、優先的に待ち受け処理をさせる無線基地局装置（以下、ターゲット無線基地局装置と記載）である。無線基地局装置１００Ｚは、例えば、構内にて設置され、内線電話サービスを行う基地局システムに属する無線基地局装置であり、そのため一般的には、公衆の通信サービスを提供する基地局システムに属する無線基地局装置１００Ａとは異なる周波数帯が設定されることになる。図１の例では、無線基地局装置１００Ｚには、ＢＣのＩＤに３、ＣＨのＩＤに７６、ＰＮ符号のＩＤに５０、ＳＩＤ（System ID）に１２３０５、ＮＩＤに１４４５が付与される。
【００１８】
次に、パイロットビーコンである無線基地局装置２００は、無線基地局装置１００Ａから無線基地局装置１００Ｚへ無線通信端末１０を遷移させるためにのみ用いられ、通信サービスの提供は行わない無線基地局装置である。また、無線基地局装置２００は、無線通信端末１０によって待ち受け対象とされた場合、存在しないチャネルのＩＤを含んだＥＣＣＬＭ（Extended CDMA Channel List Message）（以下、正常でないＥＣＣＬＭと記載）を送信し、無線通信端末１０をシステムロスト状態にさせる。また、無線基地局装置２００は、無線通信端末１０によって捕捉された場合、存在しないチャネルのＩＤを含んだＳＣＨＭ（Sync CHannel Message）（以下、正常でないＳＣＨＭと記載）を送信し、無線通信端末１０をシステムロスト状態にさせる。また、図１の例では、無線基地局装置２００には、通常の無線基地局装置１００Ａと同一のＢＣのＩＤとＣＨのＩＤが付与され、ターゲット無線基地局装置１００Ｚと同一のＰＮ符号のＩＤとＳＩＤとＮＩＤとが付与される。
【００１９】
なお、ＰＮ符号のＩＤを除いた、ＢＣのＩＤ、ＣＨのＩＤ、ＳＩＤ、ＮＩＤからなる情報を以下、基地局情報と記載する。
【００２０】
図２は、無線通信端末１０の内部構成を示したブロック図である。
なお、以下の説明で、上記の無線基地局装置１００Ａ、１００Ｚ、２００のいずれにも該当する装置を示す場合、符号を付けず「無線基地局装置」と記載する。
【００２１】
無線通信端末１０において、無線通信部１１は、内部に備えるＲＦ（Radio Frequency）回路により、予め設定される幾つかの使用周波数帯を順次切り替えて、無線信号を受信することが可能であり、受信した無線信号に基づいて無線基地局装置を捕捉する。
【００２２】
ここで、「捕捉する」とは、無線通信端末１０が無線基地局装置からの短周期ＰＮ符号に自端末の短周期ＰＮ符号を同期させることをいう。具体的には、無線通信部１１は、無線基地局装置から送信されるパイロット信号を順次検出し、検出したパイロット信号に対して自端末の短周期ＰＮ符号を同期させることになり、同期させることができた場合に捕捉が成功する。なお、この捕捉により無線通信端末１０がある基地局システムの無線基地局装置から他の基地局システムの無線基地局装置へ待ち受け対象を変更することを、以下の説明では「遷移する」という。
【００２３】
また、無線通信部１１は、ある基地局システムにおける無線基地局装置と待ち受け処理を行っている場合に、待ち受け処理中の周波数帯及びチャネルと同一の周波数帯及びチャネルから送信されるパイロット信号を優先的に受信し、この受信したパイロット信号の中で受信強度の最も大きいものにＰＮ符号を変更して同一の基地局システムにおける他の無線基地局装置へのハンドオフを行う。この場合、無線通信部１１は、待ち受け処理の状態を維持しつつ他の無線基地局装置へハンドオフする。
【００２４】
また、無線通信部１１は、待ち受け処理の状態を維持して他の無線基地局装置へハンドオフした場合、ハンドオフ先の無線基地局装置から、基地局情報等を含むオーバーヘッド（OVerHead）情報を無線信号により受信し、受信したオーバーヘッド情報に基づいて内部に記憶している無線基地局装置の設定情報を更新、すなわち設定情報の書き換えを行う。また、無線通信部１１は、他の無線基地局装置へのハンドオフを実施した場合、ハンドオフ先の無線基地局装置に関するオーバーヘッド情報を保持していない場合に限り、オーバーヘッド情報の更新処理を実施する。この更新処理では、無線通信部１１は、待ち受け状態にあるときに常に監視するチャネル（ページングチャネル）上でオーバーヘッド情報を受信するとともに、このオーバーヘッド情報の一部として受信するメッセージ（ＥＣＣＬＭ）を受信する。このメッセージには、待ち受けを行うべきチャネルを指示する情報が含まれており、無線通信部１１は、この情報に従って待ち受けチャネルの変更を実施したり、メッセージで指定されたチャネルを持つ無線基地局装置に対して更にハンドオフを実施したりすることにより、最終的な待ち受けチャネルを決定する。なお、当該メッセージ（ＥＣＣＬＭ）に他の無線基地局装置へのハンドオフが指定されていない場合には、無線通信部１１は、当該無線基地局装置での待ち受け処理を継続する。
【００２５】
また、無線通信部１１は、制御部２０からの指示情報に従って待ち受け処理中の周波数帯及びチャネルとは異なる周波数帯及びチャネルに切り替えた場合、待ち受け処理の状態を維持せずに、制御部２０からの指示情報に含まれる基地局情報に対応する無線基地局装置の捕捉を行う。また、無線通信部１１は、異なる周波数帯及びチャネルに切り替えて無線基地局装置を捕捉した場合、シンク（同期）チャネルを通じて、ＳＣＨＭ（Sync CHannel Message：同期チャネルメッセージ）を受信する。また、無線通信部１１は、ＳＣＨＭを受信した場合、ＳＣＨＭに含まれているページングチャネルの情報などを参照して、捕捉した無線基地局装置との間で待ち受け処理を開始する。
【００２６】
また、無線通信部１１は、無線基地局装置から正常でないＥＣＣＬＭを受信した場合には、ＥＣＣＬＭの送信元の無線基地局装置の再捕捉を行う。また、無線通信部１１は、正常でないＳＣＨＭを受信した場合、ページングチャネルにて無線信号を受信することができないため、通信相手が不在のシステムロスト状態を示す情報と内部の設定情報に記憶している直前の通信相手である無線基地局装置の基地局情報とを制御部２０に入力する。
【００２７】
制御部２０は、無線通信端末１の各機能部間の動作の制御を行う機能を有している。本実施形態では、後述するＰＲＬ管理手段２１と、判定手段２２と、指示手段２３とを備えている。制御部２０において、ＰＲＬ管理手段２１は、判定手段２２から基地局情報を含む検索要求が入力された場合、当該基地局情報に一致するレコードが存在するか否かを記憶部３０に記憶されるＰＲＬ（Preferred Roaming List）３１から検索し、その検索結果を判定手段２２に出力する。また、ＰＲＬ管理手段２１は、指示手段２３から新たな基地局情報の取得要求が入力された場合、ＰＲＬ３１に記憶される捕捉優先度情報や後述するグループ識別情報を参照して基地局情報を読み出し、読み出した基地局情報を指示手段２３に入力する。
【００２８】
判定手段２２は、無線通信部１１が、他の基地局システムの無線基地局装置の捕捉を行う場合、無線通信部１１から無線通信部１１が捕捉した無線基地局装置の基地局情報が入力され、入力される基地局情報を含む検索要求をＰＲＬ管理手段２１に入力する。また、判定手段２２は、ＰＲＬ管理手段２１から出力される検索応答に基づいて、無線通信部１１から入力される基地局情報に一致する情報がＰＲＬ３１に存在するか否かを判定する。
【００２９】
指示手段２３は、判定手段２２が、無線通信部１１から入力される基地局情報に一致する情報がＰＲＬ３１に存在すると判定した場合、待ち受け対象の無線基地局装置であることを示す情報を無線通信部１１に入力して無線通信部１１に待ち受け処理を行わせる。また、指示手段２３は、判定手段２２が、無線通信部１１から入力される基地局情報に一致する情報がＰＲＬ３１に存在すると判定した場合、待ち受け対象外の無線基地局装置であることを示す情報を無線通信部１１に入力して無線通信部１１に当該無線基地局装置との間で待ち受け処理を行わせず、他の無線基地局装置を捕捉させるか、圏外の表示を表示部１３に出力する。また、指示手段２３は、無線通信部１１からシステムロスト状態を示す情報と基地局情報とが入力された場合、新たな無線基地局装置を取得するため、ＰＲＬ管理手段２１に入力される基地局情報を含む取得要求を入力する。また、指示手段２３は、ＰＲＬ管理手段２１から新たな基地局情報が出力された場合、出力される基地局情報を含む捕捉指示情報を無線通信部１１に入力する。
【００３０】
音声入出力部１２は、マイクロフォンとスピーカと音声処理回路を備えており、制御部２０からの着信通知に従って着信時に着信音を鳴動する。また、音声入出力部１２は、制御部２０から入力される他の無線通信端末から受信した音声信号を復号化して出力する。また、音声入出力部１２は、利用者の音声を集音して音声信号に変換し、符号化を行って制御部２０に出力する。
【００３１】
表示部１３は、例えば液晶と表示制御回路等を具備しており、制御部２０から入力される画像データ等を液晶へ表示する。操作部１４は、例えばキーボード等を具備しており、利用者のキー操作を検出し、検出したキーの情報を制御部２０に入力する。
【００３２】
記憶部３０は、不揮発性の記憶領域であり、ＰＲＬ（Preferred Roaming List）３１を記憶している。図３は、ＰＲＬ３１のデータ構成を示した図であり、ＰＲＬ３１は、「ＩＮＤＥＸ」、「ＢＣ」、「ＣＨ」、「ＳＩＤ」、「ＮＩＤ」、「ＧＥＯ(Geo Location)」、「ＰＲＩ(Priority)」の項目を有している。「ＩＮＤＥＸ」には記憶されるレコードを識別できるようにレコードごとに番号が記憶される。「ＢＣ」には、レコードに該当する無線基地局装置の周波数帯のＩＤが記憶される。「ＣＨ」には、レコードに該当する無線基地局装置のチャネルのＩＤが記憶される。「ＳＩＤ」には、レコードに該当する無線基地局装置が属する基地局システムのＩＤが付与される。「ＮＩＤ」には、レコードに該当する無線基地局装置が基地局システム内で構成するネットワークのＩＤが付与される。
【００３３】
「ＧＥＯ」には、ＰＲＬ３１において、無線基地局装置のレコードをグループ化する場合に、グループ毎に付与されるグループ識別情報が記憶される。具体的には、図３に示すように「ＩＮＤＥＸ」が０から６３までのレコードが、ある１つのグループ（このグループのグループ識別情報を以下、ＧＥＯ１とする）に属しており、「ＩＮＤＥＸ」が６４から８３までのレコードは、他のグループ（このグループのグループ識別情報を以下、ＧＥＯ２とする）に属している。なお、「ＧＥＯ」に記憶される「ＮＥＷ」は新たなＧＥＯであることを示しており、図３では、２つの「ＮＥＷ」が存在するため２つのグループが存在することが示されており、「ＳＡＭＥ」は上のレコードと同じＧＥＯに属することを示している。
【００３４】
「ＰＲＩ」には、１つのＧＥＯ内で読み出される優先順位を示す捕捉優先度情報が記憶される。図３では、ＧＥＯ１において「ＩＮＤＥＸ」が０から３１までのレコードが、「ＩＮＤＥＸ」が３２から６３までのレコードより優先的に読み出されるように設定されている。また、ＧＥＯ２において「ＩＮＤＥＸ」が６４から７３までのレコードが、「ＩＮＤＥＸ」が７４から８３までのレコードより優先的に読み出されるように設定されている。なお、「ＰＲＩ」に記憶される「ＳＡＭＥ」は下のレコードと同じ優先度を示しており、「ＭＯＲＥ」は下のレコードより優先度が高いことを示している。
【００３５】
つまり、制御部２０のＰＲＬ管理手段２１は、ＰＲＬ３１において「ＩＮＤＥＸ」が０のレコードから順に参照して行くことで、同じＧＥＯに属するレコードを指定して読み出すことができ、さらに同じＧＥＯの中で優先度の高いレコードを指定して読み出すことができる。
【００３６】
図４は、図３で示したＰＲＬ３１に無線基地局装置のレコードを記憶させる場合の配置の概略を示した図である。図４に示されるように、無線基地局装置１００Ａを含む通常の無線基地局装置群はＧＥＯ１に属させるようにレコードを配置し、無線基地局装置１００Ｚを含むターゲット無線基地局装置群及びパイロットビーコンの無線基地局装置群を異なるＧＥＯであるＧＥＯ２に属させるようにレコードを配置する。さらに、ＧＥＯ２の中において、ターゲット無線基地局装置群の捕捉優先度情報が、パイロットビーコンの無線基地局装置群の捕捉優先度情報よりも高い優先度となるようにレコードを配置する。なお、図３では、無線基地局装置１００Ａのレコードは、「ＩＮＤＥＸ」が０のレコードであり、無線基地局装置１００Ｚのレコードは「ＩＮＤＥＸ」が６４のレコードであり、パイロットビーコンである無線基地局装置２００のレコードは「ＩＮＤＥＸ」が７４のレコードに該当し、図４に示すように配置されている。
【００３７】
このようにレコードを配置することで、無線通信端末１０が、無線基地局装置１００Ａからパイロットビーコンである無線基地局装置２００にハンドオフ（移行）した後、無線基地局装置２００から正常でないＳＣＨＭを受信し、システムロスト状態になると、ＰＲＬ３１から、無線基地局装置２００のレコードが属するＧＥＯ２にて、無線基地局装置２００とＳＩＤとＮＩＤが同一のレコードをＰＲＬ３１の「ＰＲＩ」に従って読み出すことで無線基地局装置１００Ｚのレコードが読み出される。そして、無線通信端末１０の周波数帯及びチャネルを、当該レコードに含まれる周波数帯及びチャネルに切り替えさせた後、無線基地局装置１００Ｚを捕捉させることで、通信中の周波数帯及びチャネルに依存せず、特定の無線基地局装置へ確実に遷移させることが可能となる。
【００３８】
次に、図５を参照して、無線通信端末１０が無線基地局装置１００Ａとの間で待ち受け処理を行っている状態から、パイロットビーコンである無線基地局装置２００にハンドオフし、その後、無線基地局装置１００Ｚに遷移するまでの無線通信端末１０における処理を説明する。
【００３９】
図５の縦軸は、無線通信端末１０がどの無線基地局装置と通信状態にあるかを示しており、左から順に、「通信相手なし状態」、「無線基地局装置１００Ａと通信状態」、「無線基地局装置２００（パイロットビーコン）と通信状態」、「無線基地局装置１００Ｚと通信状態」の各状態であることを示している。
【００４０】
最初に、無線通信端末１０の無線通信部１１が無線基地局装置１００Ａと待ち受け処理を行っている状態（ステップＳ１）から、無線通信端末１０が利用者に携帯されて、パイロットビーコンである無線基地局装置２００の無線信号の送信範囲に移動する。そして、無線基地局装置２００から送信されるパイロット信号の受信強度が、無線基地局装置１００Ａから送信される無線信号の受信強度より大きくなった場合、無線通信端末１０の無線通信部１１は、待ち受け状態を維持しつつ無線基地局装置２００にハンドオフする（ステップＳ２）。そして、無線通信端末１０の無線通信部１１は、無線基地局装置２００から送信される無線信号に含まれるオーバーヘッド情報を読み出し、読み出したオーバーヘッド情報に基づいて内部に記憶している無線基地局装置の設定情報の更新する（ステップＳ３）。
【００４１】
次に、無線通信端末１０の無線通信部１１は、無線基地局装置２００から正常でないＥＣＣＬＭを受信する（ステップＳ４）。ＥＣＣＬＭに含まれているチャネルのＩＤに対応するチャネルが存在しないため、無線通信部１１は、チャネル切替失敗として（ステップＳ５）、システムロスト状態となる（ステップＳ６）。無線通信部１１は、チャネル切替失敗によりシステムロスト状態となったことで、ＥＣＣＬＭの送信元の無線基地局装置２００の再捕捉を開始する（ステップＳ８）。
【００４２】
無線基地局装置２００は、無線通信部１１により捕捉された場合、正常でないＳＣＨＭを送信し（ステップＳ９）、当該ＳＣＨＭを受信した無線通信部１１は、ＳＣＨＭに含まれるページングチャネル（ＰＣＨ）が存在しないため、ＰＣＨの受信が失敗すると（ステップＳ１０）、システムロスト状態であることを示す情報と、設定情報に記憶されている直前の通信相手である無線基地局装置２００の基地局情報とを制御部２０の指示手段２３に入力する（ステップＳ１１）。指示手段２３は、無線通信部１１からシステムロスト状態である情報と基地局情報が入力されると、基地局情報を含む取得要求をＰＲＬ管理手段２１に入力する。ＰＲＬ管理手段２１は、取得要求に含まれる基地局情報を含むレコードをＰＲＬ３１から検索し、検索したレコードに含まれる「ＧＥＯ」を参照する。次に、当該「ＧＥＯ」と同じＧＥＯに属し、入力される基地局情報に含まれるＳＩＤ及びＮＩＤに一致するレコードをＰＲＬ３１の「ＰＲＩ」に従って読み出す。ここでは、無線基地局装置１００Ｚに対応するレコードが読み出されることになる。そして、ＰＲＬ管理手段２１は、読み出したレコードから基地局情報に相当するＢＣのＩＤ、ＣＨのＩＤ、ＳＩＤ、ＮＩＤの情報を読み出し、指示手段２３に出力する（ステップＳ１２）。
【００４３】
指示手段２３は、ＰＲＬ管理手段２１から出力される、ＢＣのＩＤ、ＣＨのＩＤ、ＳＩＤ、ＮＩＤの情報を含む捕捉指示情報を無線通信部１１に入力する。無線通信部１１は、入力される捕捉指示情報に含まれるＢＣのＩＤ及びＣＨのＩＤに従って周波数帯及びチャネルを切り替え（ステップＳ１３）、再捕捉処理を行うため当該周波数帯及びチャネルにてパイロット信号を待ち受ける（ステップＳ１４）。そして、無線通信部１１は、短周期ＰＮ符号をパイロット信号に同期させて捕捉を開始し（ステップＳ１５）、同期した無線基地局装置から送信されるＳＣＨＭに含まれるＳＩＤと捕捉指示情報に含まれるＳＩＤとが一致するまで、無線基地局装置の捕捉を繰り返す処理を行う。そして、繰り返す処理の中で捕捉した無線基地局装置１００Ｚとの間で待ち受け処理を開始する（ステップＳ１６）。
【００４４】
上記の実施形態の構成により、無線通信端末１０がパイロットビーコンである無線基地局装置２００を介した遷移を行う場合に、無線基地局装置２００から送信される正常でない正常でないＥＣＣＬＭ及び正常でないＳＣＨＭを受信した際に、無線基地局装置２００と同じＧＥＯ２内でＰＲＬ３１から高い優先度が設定されている無線基地局装置を検索することにより、最終的な遷移先となる無線基地局装置１００Ｚに対して捕捉処理を行うことが可能となる。これにより、無線通信端末１０を最終的な遷移先の無線基地局装置に確実に遷移させることができる。
【００４５】
なお、上記の実施形態において、無線通信端末１０を無線基地局装置１００Ｚにのみ遷移させる場合には、ＰＲＬ３１のＧＥＯ２の最上段に無線基地局装置１００Ｚのレコードを記憶させ、ＰＲＬ管理手段２１に最上段のレコードのみを検索させるようにしてもよい。このとき、本発明に記載の捕捉優先度情報とは、ＰＲＬ３１におけるレコードの配置順に対応することになる。
【００４６】
なお、本発明に記載の周波数情報とは、ＢＣ及びＣＨに対応する。また、本発明に記載の第１の無線基地局装置は、無線基地局装置１００Ａに対応し、第２の無線基地局装置は、無線基地局装置１００Ｚに対応し、第３の無線基地局装置は、パイロットビーコンである無線基地局装置２００に対応する。また、本発明に記載の記憶手段は、ＰＲＬ３１を記憶する記憶部３０に対応する。また、本発明に記載の捕捉処理手段は、無線通信部１１に係る捕捉処理を行う部分と、ＰＲＬ管理手段２１に係る新たな基地局情報の取得要求が入力された場合、ＰＲＬ３１に記憶される捕捉優先度情報等を参照して基地局情報を読み出す処理を行う部分と、指示手段２３に係る捕捉指示情報を無線通信部１１に入力する部分に対応する。また、本発明に記載の読出手段は、ＰＲＬ管理手段２１に対応し、周波数切替手段は、指示手段２３及び無線通信部１１の周波数を切り替える構成に対応する。
【００４７】
上述の無線通信端末１０は内部に、コンピュータシステムを有している。そして、上述したＰＲＬ管理手段２１及び判定手段２２、指示手段２３によって行われる処理は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００４８】
【図１】本実施形態に係る無線通信システムを示すブロック図である。
【図２】同実施形態に係る無線通信端末の内部構成を示すブロック図である。
【図３】同実施形態に係るＰＲＬのデータ構成を示した図である。
【図４】同実施形態に係るＰＲＬのレコードの配置を説明するための図である。
【図５】同実施形態に係る無線通信端末の動作を説明するための図である。
【図６】従来の無線通信システムのブロック図（その１）である。
【図７】従来の無線通信システムのブロック図（その２）である。
【符号の説明】
【００４９】
１０      無線通信端末
１００Ａ  無線基地局装置
１００Ｚ  無線基地局装置
２００    無線基地局装置（パイロットビーコン）
【図１】
0004588617.tif 000002
【図２】
0004588617.tif 000003
【図３】
0004588617.tif 000004
【図４】
0004588617.tif 000005
【図５】
0004588617.tif 000006
【図６】
0004588617.tif 000007
【図７】
0004588617.tif 000008